(57)【要約】【課題】  防水床部材から外側へ水が流出するの防止するための構造を、防水床部材を部分的に切除した場合でも切除箇所に容易に構築できる手段を提供する。【解決手段】防水床部材Ｐの隅部Ｘを直角に切除した場合、切断端縁部Ｑに沿って堤防部材１０を設ける。堤防部材１０は光硬化性シートを用いて構築される。未硬化の光硬化性シートを防水床部材Ｐ上の所定位置に配置したのち光線を照射して硬化させる。防水床部材Ｐに対し自着性を発揮し水密的に固定される。光硬化性シートは可塑性であるから切除端縁部Ｑに沿って直角に折れ曲がった形状にも容易に配置できる。防水床部材Ｐに別途装着する堤防部材１０に防水機能をもたせるから、切除端縁部Ｑの切断精度が要求されず、切断作業が容易である。堤防部材１０の装着作業は、防水床部材Ｐの一部切除に引き続いて行えるから、きわめて作業性がよい。【選択図】      図１
2006144412.tif 000002
【特許請求の範囲】
【請求項１】
防水床部材に壁パネル，扉等の仕切り部材の立設部が設けられ、当該立設部の室外側において、又は、当該立設部に沿って、堤防部材が前記防水床部材上に水密的に装着されていることを特徴とする防水床構造。
【請求項２】
防水床部材に壁パネル，扉等の仕切り部材の立設部が設けられ、当該立設部の室外側に防水起立面部が一体成形されている領域と防水起立面部を持たない領域とが設けられ、防水起立面部を持たない領域に沿って堤防部材が防水床部材上に装着され、当該堤防部材は前記防水起立面部に水密的に接合されていることを特徴とする防水床構造。
【請求項３】
前記防水床部材における主要床面部の外側に低く形成され途中で切断可能な仕切り部材の立設部が設けられ、当該立設部に配置した仕切り部材と前記主要床面部との間に形成される凹部に、表面高さ位置が前記主要床面部と実質的に同一となる高さ調節部材を配置した請求項１又は２に記載する防水床構造。
【請求項４】
主要床面部の周囲に壁パネル，扉等の仕切り部材の立設部が設けられた防水床部材と、前記立設部の室外側を取り囲むように、前記防水床部材上に水密的に装着される堤防部材とを備えていることを特徴とする防水床構造。
【請求項５】
前記堤防部材は、防水床部材に対し自着性を有する未硬化の可塑性材料を、防水床部材上に配置したのち硬化させたものから成る請求項１乃至４のいずれかに記載する防水床構造。
【請求項６】
防水床部材における防水起立面部を持たない領域に沿って、防水床部材に対し自着性を有する未硬化の可塑性材料から成る堤防部材を防水床部材上に配置したのち、当該堤防部材を硬化させることにより、防水床部材へ水密的に固定することを特徴とする防水床の施工方法。
【請求項７】
主要床面部の周囲に壁パネル，扉等の仕切り部材の立設部が設けられ、当該立設部よりも室外側に防水起立面部が一体成形された防水床部材の一部分を切除し、切除によって形成される防水起立面部を持たない切除端縁部に沿って、堤防部材を防水床部材上へ水密的に固定した請求項６に記載する防水床の施工方法。
【発明の詳細な説明】
【技術分野】
【０００１】
本発明は、防水床部材の上に壁パネルや扉等が立設される場合における防水床の構造及びその施工方法に関し、詳しくは、壁パネルと防水床部材との間から漏水した水が防水床部材から外側へは流出しないようにするための防水構造を簡単な構成及び作業で提供すること、及び、防水床部材を部分的に切除した場合でも切除箇所に防水構造を容易に構築できる手段を提供することを目的とする。
【背景技術】
【０００２】
特許文献１に、切断可能な延設部を有する床部材と、切断により長さ調節が可能な枠部材とを準備し、床部材の延設部を切断して外形寸法を縮小したときには、これに合わせて枠部材を切断して長さを短縮することにより、所望寸法の防水床を構築することが記載されている。上記枠部材は、その上に壁パネルが載置されるものであって、床部材へはボルト・ナット、ねじ、リベット等で固定され、間にパッキンを介装することで水密性を確保するとされている。
【特許文献１】特開平８−２６０７３１号公報
【発明の開示】
【発明が解決しようとする課題】
【０００３】
特許文献１に記載された前記従来の防水床構造は、壁パネルを載置するための枠部材を必要としているが、この枠部材は部品点数が多く構造が比較的複雑であるうえに、壁パネルの荷重を支えるため比較的頑丈に製作する必要があるので、製造コストが嵩む。また床部材への固定作業に手間を要するので、施工性が悪く、作業者に対する負担も大きい。しかも、枠部材と床部材との水密性は、間に介装するパッキンで確保するようになされているから、両者間の接合強度を充分高めなくては、防水性能に対する信頼性が得られない。さらに特許文献１の技術では、床部材の隅部を直角に切除した場合等の形状変更に対処することができない。
【課題を解決するための手段】
【０００４】
本発明が、前記従来の問題点に鑑みて採用した防水床構造の特徴は、請求項１に記載する如く、防水床部材に壁パネル，扉等の仕切り部材の立設部が設けられ、当該立設部の室外側において、又は、当該立設部に沿って、堤防部材が前記防水床部材上に水密的に装着されていることにある。
【０００５】
前記において防水床部材は、ＦＲＰ製が代表的であるが、金属製・合成樹脂製の場合も考えられる。また防水床部材は、高さ調節が可能な架台に載設されることが多いが、架台と一体に製作される場合もある。防水床部材上に配置される仕切り部材とは、例示した壁パネル，扉のほか、ドア，戸等も含まれる。仕切り部材を立て込む立設部は、防水床部材の主要床面部と同一面上に形成されるほか、主要床面部よりも低く形成した段部や溝部に設定される場合も考えられる。
【０００６】
本発明に係る防水床構造は、請求項２に記載の如く、防水床部材に壁パネル，扉等の仕切り部材の立設部が設けられ、当該立設部の室外側に防水起立面部が一体成形されている領域と防水起立面部を持たない領域とが設けられている場合に、防水起立面部を持たない領域に沿って堤防部材を防水床部材上に装着し、当該堤防部材を前記防水起立面部に水密的に接合する構成を採用することも可能である。
【０００７】
さらに本発明に係る防水床構造は、請求項３に記載の如く、防水床部材における主要床面部の外側に低く形成され途中で切断可能な仕切り部材の立設部を設け、当該立設部に配置した仕切り部材と前記主要床面部との間に形成される凹部に、表面高さ位置が前記主要床面部と実質的に同一となる高さ調節部材を配置する構成も採用可能である。
【０００８】
本発明に係る防水床構造は、請求項４に記載の如く、主要床面部の周囲に壁パネル，扉等の仕切り部材の立設部が設けられた防水床部材と、前記立設部の室外側を取り囲むように、前記防水床部材上に水密的に装着される堤防部材とを備えているものとすることができる。
【０００９】
なお本発明に係る防水床構造における前記堤防部材の望ましい態様としては、請求項５に記載の如く、防水床部材に対し自着性を有する未硬化の可塑性材料を、防水床部材上に配置したのち硬化させたものから構成する場合が考えられる。ここで可塑性材料とは、光硬化性樹脂，光硬化性ＦＲＰ，粘土程度に粘性を高めたエポキシ樹脂，速乾性を有するプラスチックフォーム材料などが挙げられる。
【００１０】
但し前記堤防部材を、耐水性材料で構成し、防水床部材に接着剤で固定することも可能である。ここで耐水性材料とは、金属，プラスチック，セラミック，あるいはこれらの複合材等が挙げられる。また、柔軟性・密着性を有するパッキン部材も使用可能である。耐水性材料を接着剤で固定して堤防部材を構成する場合、固定位置を厳密に調整する必要がなく、また、堤防部材にそれほど大きい耐荷重強度や接着強度は要求されないから、施工作業は簡単である。
【００１１】
ところで本発明は、前述の防水床を施工するための方法を提供するものであって、その一つは、請求項６に記載するとおり、防水床部材における防水起立面部を持たない領域に沿って、防水床部材に対し自着性を有する未硬化の可塑性材料から成る堤防部材を防水床部材上に配置したのち、当該堤防部材を硬化させることにより、防水床部材へ水密的に固定することを特徴とする施工方法である。
【００１２】
なお前記施工方法において、耐水性部材から成る堤防部材を、防水床部材における防水起立面部を持たない領域に沿って接着剤で水密的に固定する方法を採用することも妨げない。
【００１３】
また本発明に係る防水床の施工方法は、請求項７に記載する如く、主要床面部の周囲に壁パネル，扉等の仕切り部材の立設部が設けられ、当該立設部よりも室外側に防水起立面部が一体成形された防水床部材の一部分を切除する場合に好適であり、この場合、切除によって形成される防水起立面部を持たない切除端縁部に沿って、堤防部材を防水床部材上へ水密的に固定すればよい。
【発明の効果】
【００１４】
請求項１に記載の防水床構造によれば、防水床部材に設けた仕切り部材の立設部の室外側又は立設部に沿って水密的に装着した堤防部材が、防水床部材の外部への漏水を確実に防止する。堤防部材は、仕切り部材の立設部の形態に合わせて、防水床部材上に後から装着するので、隅部を切除した場合など、防水床部材の形状が矩形以外でも容易に対応できる。
【００１５】
請求項２に記載の防水床構造によれば、防水床部材に防水起立面部が一体成形されている領域と防水起立面部を持たない領域とが設けられている場合に、防水起立面部を持たない領域に沿って堤防部材を装着し、さらに該堤防部材を防水起立面部へ水密的に接合するから、より高い防水性能が得られる。
【００１６】
請求項３に記載の防水床構造によれば、防水床部材における主要床面部の外側に低く形成され途中で切断可能な仕切り部材の立設部を設けたので、この立設部の途中を切断することにより、防水床部材の寸法調整あるいは形状変更を行える。切断後の立設部の高さレベルは切断前と変わらないから、壁パネル等仕切り部材について高さ寸法を変更する必要がなく、よって共通規格の製品を使用できる。それ故、隣接する仕切り部材どうしの連結作業や接合部のコーキング作業が容易になり、水密性も向上する。また、切断位置によって、立設部に配置した仕切り部材と主要床面部との間に凹部が形成される場合に、この凹部に高さ調節部材を配置して、表面高さ位置を主要床面部と実質的に同一とするから、施工される防水床の表面を均一高さにすることができる。
【００１７】
請求項４に記載の防水床構造は、主要床面部の周囲に仕切り部材の立設部が設けられた防水床部材に、立設部の室外側を取り囲むように堤防部材を水密的に装着することによって目的とする防水床構造を構築できる。従って、防水床部材の周縁部に防水起立面部を一体成形する必要がなくなるので、防水床部材の製造コストを低く抑えられる。
【００１８】
なお本発明に係る防水床構造にあっては、堤防部材で仕切り部材の荷重を支持するものではないから、請求項５に記載の如く、堤防部材を、防水床部材に対し自着性を有する未硬化の可塑性材料を硬化させたもので構成することができる。可塑性材料で製作した堤防部材は形状自由度が大きいから、防水床部材や立設部の形状が複雑であっても、それに適合する形状に容易に形成できる。また、防水床部材に対し自着性を持つので、固定するのに接着剤が不要である。
【００１９】
請求項６に記載の防水床の施工方法によれば、形状自由度の大きい未硬化の可塑性材料で堤防部材を形成するから、防水床部材や立設部の形状が複雑でも、所要形状の堤防部材を容易に構築できる。従って、防水床部材の一部を切除する場合に、切除形状を比較的自由に設定できる。また、自着性を有する堤防部材を硬化させて防水床部材へ水密的に固定するから、接着剤が不要であり、よって、施工が非常に簡単である。
【００２０】
請求項７に記載の防水床の施工方法によれば、防水床部材の一部分を切除することによって防水起立面部を持たない切除端縁部が形成される場合に、可塑性材料等を用いて容易に堤防部材を構築できる。従って、従来では困難であった防水床部材の隅部の切除にも容易に対応でき、簡単な作業によって確実に防水機能を付与することが可能である。
【発明を実施するための最良の形態】
【００２１】
［第１の実施形態］
図１は本発明を適用した防水床構造の一例を示すものである。防水パンなどの防水床部材Ｐは、その大部分を占める主要床面部１の周囲に、一段低く形成された溝部２を有し、この溝部２の外周側に防水起立面部３が形成されている。そして通常は、前記溝部２に、壁パネルや扉，ドア枠等の仕切り部材が立て込まれる。前記防水起立面部３は、主要床面部１の高さレベルと同等かそれ以上に設定され、仕切り部材と防水床部材Ｐとの間の隙間に浸入した水が、防水床部材Ｐの外部へ流出するのを防止する役割を担っている。
【００２２】
ところで防水床の施工環境によっては、防水床部材Ｐの一部、例えば図示するように隅部Ｘを直角に切除することが必要となる場合がある。しかるに隅部Ｘを切除することによって、切除端縁部Ｑは防水起立面部３を持たないことになる。そこで本例では、この防水起立面部３を持たない切断端縁部Ｑに沿って、一定高さを有する堤防部材１０を、防水床部材Ｐ上に設けた。
【００２３】
上記堤防部材１０は、図２（Ａ）に示すように、主要床面部１から溝部２及び防水起立面部３にわたって、防水床部材Ｐへ水密的に装着されるものである。また堤防部材１０の装着位置は、図２（Ｂ）に示すように、切除端縁部Ｑに沿って仕切り部材を配置すべき立設部Ｒが設定された場合は、該立設部Ｒに基づいて定められる。すなわち、立設部Ｒの室外側であって、立設部Ｒに接するか又はわずかに離れた位置とされる。
【００２４】
堤防部材１０には、例えば、光硬化性樹脂あるいは光硬化性ＦＲＰをシート状に形成した光硬化性シートを用いることが考えられる。図３（Ａ）に示すように、未硬化の光硬化性シート１０ａは軟質で保形性を持たないので、バックアップ部材２０で所要形状に保持する。図示の例では、光硬化性シート１０ａを断面Ｌ字形に成形した。そして、この状態で、光硬化性シート１０ａを防水床部材Ｐ上の所定位置に配置する。光硬化性シート１０ａは可塑性であるから、図１，２に例示する如く、切除端縁部Ｑに沿って直角に折れ曲がった形状にも容易に配置できる。このとき、光硬化性シート１０ａの端縁部を、主要床面部１のみならず、溝部２や防水起立面部３にも密接させることが望ましい。
【００２５】
しかるのち、光硬化性シート１０ａに紫外線・太陽光線・その他必要な波長を含む光線を照射して硬化させる。光硬化性シート１０ａは、材質を適当に選択すれば、防水床部材Ｐに対し自着性を発揮するので、接着剤不要で、防水床部材Ｐへ水密的に固定できる。但し自着性を持たないときは、接着剤を用いて防水床部材Ｐに水密的に固定すればよい。
【００２６】
光硬化性シート１０ａの硬化後、バックアップ部材２０を取り外すことにより、堤防部材１０が設けられる。引き続き、図３（Ｂ）に示す如く、堤防部材１０よりも室内側に設定された立設部Ｒに仕切り部材Ｓを配置する。本例の防水床構造は、仕切り部材Ｓと防水床部材Ｐとの隙間から水が浸出したとしても、室外側に配置した堤防部材１０によって、防水床部材Ｐの外部へ水が流出するのを阻止できる。また、堤防部材１０を、防水床部材Ｐの主要床面部１だけでなく、溝部２や防水起立面部３にも水密的に固定したから、より優れた防水機能が発揮される。
【００２７】
このように本例では、防水床部材Ｐに別途装着する堤防部材１０に防水機能をもたせるから、切除端縁部Ｑの切断精度が要求されない。従って、切断作業が容易である。また、堤防部材１０の装着作業は、防水床部材Ｐの一部切除に引き続いて行えるから、きわめて作業性がよい。
【００２８】
［第２の実施形態］
図４は、本発明に利用する堤防部材１１の異なる実施形態を示すものである。堤防部材１１として、未硬化の合成樹脂、例えばエポキシ樹脂やウレタン樹脂を用いる場合、それらがある程度の保形性を持つように粘度調整する。そして、上記樹脂材料に、硬化剤や反応促進剤を添加した後、仕切り部材Ｓの立設部Ｒに沿って又は室外側へわずかに離れた位置に絞り出すか載置する。これにより、硬化後の樹脂材料が防水床部材Ｐに水密的に固定され、防水機能を発揮する堤防部材１０となる。なお所望により、前記樹脂は、硬化時に発泡するよう設定することも可能である。本例の堤防部材１０は、可塑性の合成樹脂から成るから、形状の自由度が大きく、防水床部材Ｐの複雑な形状にも容易に対応できる。
【００２９】
［第３の実施形態］
図５に示すように、堤防部材１２を、金属・プラスチック・セラミック等の耐水性材料で板状または棒状に形成したもので構築する場合は、接着剤１３を用いて、防水床部材Ｐへ水密的に固定する方法が考えられる。堤防部材１０は、防水性能を発揮すればよく、他から荷重を受けることがないから、接着強度をそれほど高める必要がない。また、その接着位置についても、さほど精度が要求されない。従って、堤防部材１０の装着作業は容易である。
【００３０】
［第４の実施形態］
図６に示すように、防水床部材Ｐが、主要床面部１の周縁に、防水起立面部を持たない構造の場合、仕切り部材の立設部Ｒを囲むように堤防部材１０を装着することで、外部への水の流出を阻止する防水機能を備えた防水床構造を構築することが可能である。本例では、防水床部材Ｐを、防水起立面部のない簡素な構成にできるから、製作コストを引き下げられる。
【００３１】
［第５の実施形態］
図７に示すように、防水床部材Ｐにおける主要床面部１の外側に、高さレベルが主要床面部１よりも低く設定され且つ幅寸法の比較的大きい切断可能部４を設け、この切断可能部４上に、仕切り部材Ｓの立設部Ｒを設定する。そして、寸法調整又は形状変更が必要な場合に、上記切断可能部４の途中を切断することが考えられる。堤防部材１０は、切断後に設定される新たな立設部Ｒの位置に基づいて、適切な位置へ装着される。
【００３２】
本例では、切断可能部４の切断前後で、立設部Ｒの高さレベルが変化しないから、仕切り部材Ｓに共通規格のものを統一的に使用できるという利点が得られる。また、仕切り部材Ｓの規格が統一化されることにより、隣接する仕切り部材Ｓどうしの接合作業や、接合部のコーキング作業が容易になり、施工性が向上する。
【００３３】
なお切断可能部４の途中を切断した後、新たに設定された立設部Ｒの位置によっては、仕切り部材Ｓと、防水床部材Ｐの主要床面部１との間に凹部５が形成される場合がある。このような場合は、上記凹部５に、主要床面部１と高さ位置が実質的に同一となる高さ調整部材６を配設し、施工後の床面が均一となるようにすることが望ましい。
【００３４】
［第６の実施形態］
図８に示す如く、防水床部材Ｐにおける周縁部に、主要床面部１から立ち上がる防水起立面部３が形成され、さらにその上に、仕切り部材Ｓを立て込むための段部７が形成されている場合、当該防水床部材Ｐの一部を切除すると、切除端縁部Ｑの近傍に新たに設定される仕切り部材Ｓの立設部Ｒは、上記段部７よりも高さレベルが一段低くなる。そこで本例では、新たに設定された立設部Ｒの上に、前記段部７と高さ位置が実質的に同一となる高さ調整部材８を配設し、その上に仕切り部材Ｓを配置する構成を採用した。なお堤防部材１０は、切断後に設定される新たな立設部Ｒの位置に基づき装着される。
【００３５】
かかる構成により、仕切り部材Ｓに同一規格のものを使用することが可能となるので、隣接する仕切り部材Ｓどうしの接合作業や接合部のコーキング作業が容易になり、施工性が向上するという利点が得られる。
【図面の簡単な説明】
【００３６】
【図１】本発明に係る防水床構造の第１の実施形態に関するものであって、図（Ａ）は隅部を切除した防水床部材の斜視図、図（Ｂ）は同防水床部材における切除部を拡大して示す斜視図である。
【図２】本発明に係る防水床構造の第１の実施形態に関するものであって、図（Ａ）は隅部を切除した防水床部材の要部を示す正面図、図（Ｂ）は同防水床部材の要部を示す平面図である。
【図３】本発明に係る防水床構造の第１の実施形態に関するものであって、図（Ａ）は堤防部材の装着手順を説明するための防水床部材の要部を示す正面断面図、図（Ｂ）は仕切り部材を立設した防水床部材の要部を示す正面断面図である。
【図４】本発明に係る防水床構造の第２の実施形態に関するものであって、堤防部材と仕切り部材とを設けた防水床部材の要部を示す正面断面図である。
【図５】本発明に係る防水床構造の第３の実施形態に関するものであって、堤防部材の装着手順を説明するための防水床部材の要部を示す正面断面図である。
【図６】本発明に係る防水床構造の第４の実施形態に関するものであって、堤防部材を装着した防水床部材を示す平面図である。
【図７】本発明に係る防水床構造の第５の実施形態に関するものであって、堤防部材と仕切り部材とを設けた防水床部材の要部を示す正面断面図である。
【図８】本発明に係る防水床構造の第６の実施形態に関するものであって、堤防部材と仕切り部材とを設けた防水床部材の要部を示す正面断面図である。
【符号の説明】
【００３７】
Ｐ…防水床部材  Ｑ…切除端縁部  Ｒ…立設部  Ｓ…仕切り部材  Ｘ…隅部  Ｙ…切除部分  １…主要床面部  ２…溝部  ３…防水起立面部  ４…切断可能部  ５…凹部  ６…高さ調整部材  ７…段部  ８…高さ調整部材  １０〜１２…堤防部材
【図１】
2006144412.tif 000003
【図２】
2006144412.tif 000004
【図３】
2006144412.tif 000005
【図４】
2006144412.tif 000006
【図５】
2006144412.tif 000007
【図６】
2006144412.tif 000008
【図７】
2006144412.tif 000009
【図８】
2006144412.tif 000010